(57)【要約】【課題】  本発明の目的は、排水能力に優れた導水管を有する舗装道路構造を提供し、またかかる構造を形成するにあたり、手間や時間のかからない道路の舗装方法を提供すること。【解決手段】  第１不透水性舗装層Ｔ上に第２不透水性舗装層Ｌ１とその上の排水性舗装層Ｌ２とを有する舗装道路であって、矩形状断面の導水管１が道路端部構造物Ｓに沿って配設された状態で舗装層に埋め込まれている舗装道路構造。そして、導水管が道路端部構造物に沿って配設された状態で第２不透水性舗装層に埋め込まれており、導水管の上面が第２不透水性舗装層の上面と同じ高さ位置となっている舗装道路構造。そして、導水管が、道路端部構造物に沿って配設された状態で排水性舗装層に埋め込まれており、導水管の上面が排水性舗装層の上面より低い高さ位置となっている舗装道路構造。  【選択図】  図４
2006083578.tif 000002
【特許請求の範囲】
【請求項１】
第１不透水性舗装層上に第２不透水性舗装層とその上の排水性舗装層とを有する舗装道路であって、
矩形状断面の導水管が道路端部構造物に沿って配設された状態で舗装層に埋め込まれていることを特徴とする舗装道路構造。
【請求項２】
第１不透水性舗装層上に第２不透水性舗装層とその上の排水性舗装層とを有する舗装道路であって、
導水管が道路端部構造物に沿って配設された状態で第２不透水性舗装層に埋め込まれており、導水管の上面が第２不透水性舗装層の上面と同じ高さ位置となっていることを特徴とする舗装道路構造。
【請求項３】
第１不透水性舗装層上に第２不透水性舗装層とその上の排水性舗装層とを有する舗装道路であって、
導水管が、道路端部構造物に沿って配設された状態で排水性舗装層に埋め込まれており、導水管の上面が排水性舗装層の上面より低い高さ位置となっていることを特徴とする舗装道路構造。
【請求項４】
道路端部構造物が路肩部又は中央帯部であることを特徴とする請求項１、２又は３記載の舗装道路構造。
【請求項５】
第１不透水性舗装層上に道路端部構造物に沿って矩形状断面の導水管を添置きし、その導水管の上に舗装層を舗設して、導水管を埋め込み状態にしたことを特徴とする道路の舗装方法。
【請求項６】
第１不透水性舗装層上に道路端部構造物に沿って矩形状断面の導水管を添置きし、導水管の上面と同じ高さ位置まで第２不透水性舗装層を舗設し、その第２不透水性舗装層及び導水管の上に排水性舗装層を舗設し、導水管を埋め込み状態にしたことを特徴とする道路の舗装方法。
【請求項７】
第１不透水性舗装層上に第２不透水性舗装層を舗設し、該第２不透水性舗装層上に道路端部構造物に沿って矩形状断面の導水管を添置きし、その第２不透水性舗装層及び導水管の上に排水性舗装層を舗設し、導水管を埋め込み状態にしたことを特徴とする道路の舗装方法。
【請求項８】
道路端部構造物が路肩部又は中央帯部であることを特徴とする請求項５、６又は７記載の道路の舗装方法。
【発明の詳細な説明】
【技術分野】
【０００１】
本発明は、導水管が埋め込まれた舗装道路構造及び道路の舗装方法に関する。  特に、舗装道路構築の作業性向上や排水性の向上を伴う舗装道路構造及び道路の舗装方法に関する。
【背景技術】
【０００２】
従来、路面に降った雨等を排水するための排水路として道路に沿って又は道路と垂直方向に側溝ブロックが配設されたものが知られている（例えば、特許文献１参照）。
この特許文献１に記載されるような図９に示す側溝ブロック１００は、角筒状をしている。
側溝ブロック１００の一側には舗装道路Ｐが形成されており、この舗装道路Ｐは不透水性舗装層Ｌ１と、該不透水性舗装層Ｌ１の上に敷設された排水性舗装層Ｌ２とを有している。
側溝ブロック１００の側壁の上端側には、斜めに排水穴に通じる貫通穴１００ａが形成されており、この貫通穴１００ａは排水性舗装層Ｌ２に接続されている。
【０００３】
そのため、舗装道路Ｐに例えば雨が降ると、雨水は排水性舗装層Ｌ２に浸透し、不透水性舗装層Ｌ１には染み込まず、側溝ブロック１００側に流れ込み、貫通穴１００ａから側溝ブロック１００内の排水路１０１に流れ込む。
排水路に通じる排水をより効率よく行うものとしては、例えば、図１０（Ａ）に示すような導水管２００が知られている（特許文献２参照）。
この導水管２００は、筒状のネット管２０１を外側に備えており、このネット管２０１の内側には魚網の使用済み廃網等を利用した樹脂材２０２が充填されている。
【０００４】
なお、図１０（Ｂ）に示すように導水管２００は、ネット管２０１の代わりに多孔管２０３を用いたものである。
樹脂材２０２は、ナイロン、ポリエステル等の樹脂材料からなる魚網の一定量を長さ方向に直線状に延展し、且つこれを一対の歯車間を通過させると共に熱融着することにより得られ、鋸歯状の成形品である。
【０００５】
これら導水管２００に使われている樹脂材２０２は、多数の結筋で構成され硬くなるので、導水管２００は、土砂圧に対する変形防止能が高く、また網目の間隙は容易に変形することがない。
このような導水管２００は、道路下、運動場、ゴルフ場、宅地造成地、地下道、又は鉄道等幅広い用途に利用することができる。
図１１は、このような導水管を用いた舗装道路Ｐの構造の施工例を示したものである。
この舗装道路構造では、側溝ブロック１００への水捌けを助けるものとして、断面円形状の導水管２００を用いている。
道路端部構造物Ｓ（通常排水穴が配設されている）の一側には、舗装道路Ｐが敷設されている。
【０００６】
この舗装道路Ｐは第１不透水性舗装層Ｔ上に第２不透水性舗装層Ｌ１が形成されており、この第２不透水性舗装層Ｌ１の上には更に排水性舗装層Ｌ２が形成されている。
そして、第２不透水性舗装層Ｌ１と道路端部構造物Ｓとの間には空間が形成され、この空間に円筒状（断面円形状）の導水管２００が設けられている。
因みに、この施工においては、第２不透水性舗装層Ｌ１と道路端部構造物Ｓとの間の空間は、道路端部構造物Ｓから一定距離離れて第２不透水性舗装層Ｌ１を舗設することにより形成したり、或いは道路端部構造物Ｓに沿って予めスペーサーを仮配置して第２不透水性舗装層Ｌ１を舗設し、その後、スペーサーを取り去ることにより形成したりしていた。
舗装道路Ｐに例えば雨が降ると、雨水は、排水性舗装層Ｌ２に浸透し、第２不透水性舗装層Ｌ１には染み込まず、道路端部構造物Ｓ側へ流れ導水管２００に吸収される。
【０００７】
【特許文献１】特開２００３−１６０９０５号公報
【特許文献２】特開昭５０−１４１８１０号公報
【発明の開示】
【発明が解決しようとする課題】
【０００８】
しかしながら、上述したような導水管２００を用いた場合、導水管２００は円形状断面であるため、第２不透水性舗装層Ｌ１と道路端部構造物Ｓとの間の断面矩形状の空間Ｋに導水管２００を配設しても断面円形状の導水管２００の周囲には間隙が生じてしまうため種々の難点があった。
具体的には、導水管２００の上面側は排水性舗装層Ｌ２と接触するが、下面側には排水性舗装層Ｌ２が入り込み難いために空隙Ｋが生じ易い。
特に、第１不透水性舗装層Ｔと道路端部構造物Ｓとの間の空間Ｋは盲空間となり舗装層が充填されないこととなる。
そのため施工時、排水性舗装層Ｌ２を舗設する際に、加わる圧により導水管２００が容易に変形したり潰れたりしてしまい、排水能力を低下させてしまうという問題があった。
【０００９】
また、前述したように施工においても、かかる導水管２００は、矩形状のスペーサーを導水管２００を埋め込む位置に予め配置し、それから第１不透水性舗装層Ｔ上に第２不透水性舗装層Ｌ１を舗設し、その後、スペーサーを取り去ってそのスペーサーがあった空間に導水管２００を配置し、最後に導水管２００の周囲に排水性舗装層Ｌ２を埋め戻すことにより配設されていた。
従って、多くの時間や手間がかかるという難点があった。
【００１０】
本発明は、かかる背景技術をもとになされたもので、上記の背景技術の問題点を克服するためになされたものである。
すなわち、本発明は、排水能力に優れた導水管を有する舗装道路構造を提供し、またかかる構造を形成するにあたり手間や時間のかからない道路の舗装方法を提供することを目的とする。
【課題を解決するための手段】
【００１１】
かくして、本発明者は、このような課題背景に対して鋭意研究を重ねた結果、導水管の形状を矩形にすることで上記の問題点を解決することができることを見出し、この知見に基づいて本発明を完成させたものである。
【００１２】
すなわち、本発明は、（１）、第１不透水性舗装層上に第２不透水性舗装層とその上の排水性舗装層とを有する舗装道路であって、矩形状断面の導水管が道路端部構造物に沿って配設された状態で舗装層に埋め込まれている舗装道路構造に存する。
【００１３】
また、本発明は、（２）、第１不透水性舗装層上に第２不透水性舗装層とその上の排水性舗装層とを有する舗装道路であって、導水管が道路端部構造物に沿って配設された状態で第２不透水性舗装層に埋め込まれており、導水管の上面が第２不透水性舗装層の上面と同じ高さ位置となっている舗装道路構造に存する。
【００１４】
また、本発明は、（３）、第１不透水性舗装層上に第２不透水性舗装層とその  上の排水性舗装層とを有する舗装道路であって、導水管が、道路端部構造物に沿って配設された状態で排水性舗装層に埋め込まれており、導水管の上面が排水性舗装層の上面より低い高さ位置となっている舗装道路構造に存する。
【００１５】
また、本発明は、（４）、道路端部構造物が路肩部又は中央帯部である上記（１）、（２）又は（３）記載の舗装道路構造に存する。
【００１６】
また、本発明は、（５）、第１不透水性舗装層上に道路端部構造物に沿って矩形状断面の導水管を添置きし、その導水管の上に舗装層を舗設して、導水管を埋め込み状態にした道路の舗装方法に存する。
【００１７】
また、本発明は、（６）、第１不透水性舗装層上に道路端部構造物に沿って矩形状断面の導水管を添置きし、導水管の上面と同じ高さ位置まで第２不透水性舗装層を舗設し、その第２不透水性舗装層及び導水管の上に排水性舗装層を舗設し、導水管を埋め込み状態にしたる道路の舗装方法に存する。
【００１８】
また、本発明は、（７）、第１不透水性舗装層上に第２不透水性舗装層を舗設し、該第２不透水性舗装層上に道路端部構造物に沿って矩形状断面の導水管を添置きし、その第２不透水性舗装層及び導水管の上に排水性舗装層を舗設し、導水管を埋め込み状態にしたことを特徴とする道路の舗装方法に存する。
【００１９】
また、本発明は、（８）、道路端部構造物が路肩部又は中央帯部である上記（５）、（６）又は（７）記載の道路の舗装方法に存する。
【００２０】
なお、本発明の目的に添ったものであれば、上記（１）から（８）を適宜組み合わせた構成も採用可能である。
【発明の効果】
【００２１】
請求項１に記載の発明によれば、導水管が道路端部構造物に沿って配設され舗装層に埋め込まれているので、雨が排水性舗装層に降ってきた場合、雨水は排水性舗装層内に第２不透水性舗装上面まで浸透し、次いでこの面に沿って導水管まで移動し、導水管から排出される。
ここで導水管は断面矩形状に形成されているため、その下面は第２不透水性舗装や道路端部構造物との間に空隙は生じない。
そのため、施工時においても導水管が変形したり潰れたりしない。
また、舗装後の車両の通行等に伴う振動が繰り返し加わっても、容易に舗装層にクラックやひび割れ等が発生することがない。
また、導水管の断面が矩形状であると、側面が道路端部構造物に下面が第１不透水性舗装上と全面的に面接触しているため道路端部構造物に沿って配設する際に安定した位置決めが行われる。
【００２２】
断面円形状の導水管と異なって、矩形状断面の導水管は、第２不透水性舗装や排水性舗装との境界が平面であるために水の通過効率が良い、施工時、圧力が垂直に導水管に加わるために相互の接合力が増して強度が高まることとなる。
【００２３】
請求項２に記載の発明によれば、導水管が道路端部構造物に沿って配設された状態で第２不透水性舗装層に埋め込まれており、導水管の上面が第２不透水性舗装層の上面と同じ高さ位置となっているので、排水性舗装に浸透した雨水は第２不透水性舗装の上面を伝わりその不透水性舗装内に埋没した導水管により的確に排水される。
先に導水管を設置してから第２不透水性舗装層を形成するようにすることで、導水管の上面を目視しながらこの上面位置まで第２不透水性舗装層を舗設すれば良いので、容易且つ確実に不透水性舗装層の厚さを一定の寸法にすることができる。
【００２４】
請求項３に記載の発明によれば、導水管が、道路端部構造物に沿って配設された状態で排水性舗装層に埋め込まれており、導水管の上面が排水性舗装層の上面より低い高さ位置となっているので、排水性舗装に浸透した雨水は第２不透水性舗装の上面を伝わり排水性舗装内に埋没した導水管により的確に排水される。
また、例えば、既存の道路に導水管を設置する場合に、第２不透水性舗装層を削り取る必要はなく、排水性舗装層の道路端部構造物付近のみ剥がし、そこに導水管を挿入し、排水性舗装を埋め戻せば良いので、簡単な作業で行うことができる。
【００２５】
請求項４に記載の発明によれば、第１不透水性舗装上に道路端部構造物に沿って矩形の導水管を添置きし、その導水管の上に舗装層を舗設して、導水管を埋め込み状態にしたが、矩形状断面の導水管であるため、第１不透水性舗装や道路端部構造物との間に空隙は生じなく、施工時においても導水管が変形したり潰れたりしない。
また、導水管の下面が第１不透水性舗装と全面的に面接触しているため道路端部構造物に沿って配設する際に安定した位置決めが可能である。
【００２６】
請求項５に記載の発明によれば、第１不透水性舗装上に道路端部構造物に沿って矩形の導水管を添置きし、導水管の上面と同じ高さ位置まで第２不透水性舗装層を舗設するようにしたので、導水管は道路端部構造物と第２不透水性舗装との間で垂直に圧接されながら固定され、正確な導水管の配置が可能になる。
矩形状断面の導水管であるため、道路端部構造物や第１不透水性舗装との間に空隙は生じなく、施工時においても導水管が変形したり潰れたりしない。
また、導水管の下面が第１不透水性舗装と全面的に面接触しているため道路端部構造物に沿って配設する際に安定した位置決めが可能である。
また、導水管の上面が第２不透水性舗装層の上面と同じ高さ位置となっているので、先に導水管を設置してから第２不透水性舗装層を形成するようにすると、導水管の上面を目視しながらこの上面位置まで第２不透水性舗装層を舗設することができ、容易且つ確実に第２不透水性舗装層の厚さを一定の寸法にすることができる。
【００２７】
請求項６に記載の発明によれば、第１不透水性舗装上に第２不透水性舗装層を舗設し、該第２不透水性舗装層上に道路端部構造物に沿って矩形の導水管を添置きし、その第２不透水性舗装層及び導水管の上に排水性舗装層を舗設し、導水管を埋め込み状態にしたが、矩形状断面の導水管であるため、道路端部構造物や第２不透水性舗装との間に空隙は生じなく、施工時においても導水管が変形したり潰れたりしない。
また、導水管の下面が第２不透水性舗装と全面的に面接触しているため道路端部構造物に沿って配設する際に安定した位置決めが可能である。
【発明を実施するための最良の形態】
【００２８】
以下、本発明を実施するための最良の形態を図面に基づいて説明する。
（第１実施形態)
図１は、本発明の第１実施形態に係る舗装道路構造を示している。
コンクリートブロック製の道路端部構造物Ｓの一側には、舗装道路Ｐが形成されている。
この舗装道路Ｐは、第１不透水性舗装層Ｔ、第２不透水性舗装層Ｌ１、及び排水性舗装層Ｌ２ようなる３層構造をしている。
尚、下地Ｕが第１不透水性舗装層Ｔの土台となっていることはいうまでもない。
具体的には、第１不透水性舗装層Ｔ上に第２不透水性舗装層Ｌ１が舗設されており、該第２不透水性舗装層Ｌ１の側端面に沿って（道路端部構造物Ｓに沿って）矩形状断面の導水管１が添置きされ、更に第２不透水性舗装層Ｌ１及び矩形状断面の導水管１の上面には排水性舗装層Ｌ２が舗設されている。
【００２９】
第２不透水性舗装層Ｌ１としては、水密性の高い材料が用いられ、例えば高密度なアスファルト混合物が用いられる。
排水性舗装層Ｌ２としては、多孔質な材料が好まれ、例えば多孔質なアスファルト混合物が用いられる。
導水管１としては、樹脂材料を熱溶着した塊をネット筒に挿入したものが使用できるが、ネット筒の代りに不繊布を用いても良い。
例えば、図２に示すようなエンドレイン（登録商標）を用いることができる。  エンドレインは硬くて弾力性のあるモノフィラメント（ＰＥＴ）２を素材にし、それを屈曲させて部分的に溶着（又は接着）させ、ヘチマ構造状にしたものをネットや不織布３で覆った導水管である。
【００３０】
図１に示す第２不透水性舗装層Ｌ１及び排水性舗装層Ｌ２は、やや傾斜し（例えば、２度）、道路端部構造物Ｓ側が低くされていることが好ましい。
そして、第２不透水性舗装層Ｔと道路端部構造物Ｓとの間には矩形状断面の導水管１が設けられている。
そのため、舗装道路Ｐに雨が降ると、雨水は、排水性舗装層Ｌ２に浸透し第２不透水性舗装層Ｌ１の上面に至り、この第２不透水性舗装層Ｌ１の上面を伝わり道路端部構造物Ｓ側へ移動する。
そして、導水管１の上面に至り、この上面から導水管１内に雨水が浸透し導水管１内をその長手方向に沿って流れ、排出される。
この場合、道路端部構造物Ｓの中に図示しない排水口を設けて、その排水口と導水管１とを相通じるようにすることが好ましい。
道路端部構造物Ｓとしては、導水管１の水を排水できる構造を有するものであれば良く、例として側溝ブロック等が採用される。
【００３１】
次に、図３のフローチャート、及び図４の工程図を用いて舗装道路Ｐの構築方法について説明する。
先ず、ステップＳ１において、図４（Ａ）に示すように、下地路面の整備を行う〔路面整地工程〕。
具体的には、下地Ｕを平らにしてから第１不透水性舗装層Ｔを舗設して道路端部構造物Ｓを第１不透水性舗装層Ｔに埋込み固定する。
このとき、第１不透水性舗装層Ｔの表面は道路端部構造物Ｓ側がやや低くなるように、僅かの勾配（例えば、２度）を設けることが好ましい。
【００３２】
次いで、ステップＳ２において、図４（Ｂ）に示すように、矩形状断面の導水管１を道路進行方向に向けながら道路端部構造物Ｓに添置きする〔導水管設置工程〕。
このとき、導水管１の側面を道路端部構造物Ｓに正確に当接させるようにする。
一方、矩形状断面の導水管１の下面は第１不透水性舗装層Ｔの上面に接地し導水管１が安定した状態で添置される。
次いで、ステップＳ３において、図４（Ｃ）に示すように、導水管１の道路端部構造物Ｓがある側と反対側に、第２不透水性舗装層Ｌ１を導水管１と同じ高さ位置まで舗設し、第１不透水性舗装層Ｔ上に第２不透水性舗装層Ｌ１を形成する〔不透水性舗装層形成工程〕。
【００３３】
このとき導水管１の上面を基準として、それを目視しながら、この上面位置まで第２不透水性舗装層Ｌ１を舗設すれば良い。
導水管１は矩形状断面を有するために、その上面が平面となり目視して高さを確かめることが簡単に行える。
そのため容易且つ確実に第２不透水性舗装層Ｌ１の厚さを導水管１に合わせて一定の寸法にすることができ、施工が簡単である。
また、このように導水管１を道路端部構造物Ｓと当接するように添置きしてから第２不透水性舗装層Ｌ１を舗設すれば、導水管１は道路端部構造物Ｓと第２不透水性舗装層Ｌ１との間で圧接されながら固定され、正確な導水管１の埋設が容易に可能になる。
例えば、導水管１の配置空間を残して、第２不透水性舗装層Ｌ１を舗設し、その後、導水管１を挿入するようにすると、第２不透水性舗装層Ｌ１が導水管１の設置スペースまで侵入することが多い。
そうなると、後でカッター等の工具で侵入した部分を削り取らなければならなくなり、余分な手間となる。
本発明のように先に導水管１を設置するようにすればかかる切断作業が不要となる。
【００３４】
一方、前もってスペーサーを使って導水管１の設置空間を形成する方法もあるが、スペーサーの撤去作業が必要であり、何れにしても作業効率が悪い。
本発明では、導水管１の配置空間を残した、スペーサーを使ったりする必要がなく、施工が効率良く行われる。
最後に、ステップＳ４において、図４（Ｄ）に示すように、導水管１、及び第２不透水性舗装層Ｌ１の上に排水性舗装層Ｌ２を舗設し、導水管１を埋込み状態にする〔排水性舗装層形成工程〕。
この排水性舗装層Ｌ２の厚さは一定とし、その表面は第１不透水性舗装Ｔと同様に傾斜させるとよい。
【００３５】
この第１実施形態の舗装道路構造によれば、第１不透水性舗装層Ｔ上に第２不透水性舗装層Ｌ１が舗設され、該不透水性舗装層Ｌ１の側端面に沿って（道路端部構造物Ｓに沿って）矩形状断面の導水管１が添置きされ、第２不透水性舗装層Ｌ１及び矩形状断面の導水管１の上面に排水性舗装層Ｌ２が舗設されたので、雨が排水性舗装層Ｌ２に降ってきた場合、雨水は排水性舗装層Ｌ２内に浸透し第２の不透水性舗装層Ｌ１の上面まで浸透し、次いでこの面に沿って導水管１まで移動する。
従来と異なって導水管は円形状断面ではなく矩形状断面に形成されているため、その下面は第１不透水性舗装層や道路端部構造物との間に空隙は生じなく、そのため、施工時においても導水管が変形したり潰れたりしない。
そのため導水管自体の排水能力が低下することはない。
【００３６】
また、舗装後の車両の通行等に伴う荷重が繰り返し加わっても、容易に舗装層にクラックやひび割れ等が発生することがない。
更にまた、導水管の断面が矩形状であると、下面が第１不透水性舗装層上と全面的に面接触しているため道路端部構造物に沿って配設する際に安定した位置決めが行われる。
なお従来の円形状断面の導水管の場合は、第１不透水性舗装層と導水管とは導水管の長手方向に沿って線接触をするのみであったため、導水管の位置決め安定性が悪く、前もって設置用の空間を形成しておく方法を採用せざるを得なかった。
【００３７】
断面円形状の導水管と異なって、矩形状断面の導水管は、不透水性舗装や透水性舗装との境界が平面であるために水の通過効率が良い、施工時、圧力が垂直に導水管に加わるために相互の接合力が増して強度が高まることとなる。
因みに、排水性舗装層としては、通常、アスファルトが一般的に用いられるが、このアスファルトは舗設時に昇温されており、導水管の周囲に食い込んで接合力が向上する。
【００３８】
（第２実施形態)
図５は、本発明の第２実施形態に係る舗装道路構造を示している。
コンクリートブロック製の道路端部構造物Ｓの一側には、舗装道路Ｐが形成されている。
この舗装道路Ｐは、第１不透水性舗装層Ｔ、第２不透水性舗装層Ｌ１、及び排水性舗装層Ｌ２よりなる３層構造をしている。
尚、下地Ｕが第１不透水性舗装層Ｔの土台となっていることはいうまでもない。
具体的には、第１不透水性舗装層Ｔ上に第２不透水性舗装層Ｌ１が舗設されており、この不透水性舗装層Ｌ１の上面に道路端部構造物Ｓと接触しながら矩形状断面の導水管１が添置きされている。
更に、導水管１が埋め込まれるように排水性舗装層Ｌ２が第２不透水性舗装層Ｌ１上に舗設される。
【００３９】
この第２不透水性舗装層Ｌ１及び排水性舗装層Ｌ２はやや傾斜（例えば、２度）しており道路端部構造物Ｓ側が低くされていることが好ましい。
そのため、舗装道路Ｐに例えば雨が降ると、雨水は、排水性舗装層Ｌ２に浸透し第２不透水性舗装層Ｌ１の上面に至り、この第２不透水性舗装層Ｌ１の上面を伝わり道路端部構造物Ｓ側へ移動する。
そして、導水管１の側面に至り、この側面から導水管１内に雨水が浸透し導水管１内をその長手方向に沿って流れ、排出される。
【００４０】
次に、図６のフローチャート、及び図７の工程図を用いて舗装道路Ｐの構築方法について説明する。
先ず、ステップＳ１において、図７（Ａ）に示すように、下地路面の整備を行う〔路面整地工程〕。
具体的には、下地Ｕを平らにしてから第１不透水性舗装層Ｔを舗設して道路端部構造物Ｓを第１不透水性舗装層Ｔに埋込み固定する。
このとき、第１不透水性舗装層Ｔの表面は道路端部構造物Ｓ側がやや低くなるように、僅かに勾配（例えば、２度）を設けることが好ましい。
次いで、ステップＳ２において、図７（Ｂ）に示すように、第１不透水性舗装Ｔ上に第２不透水性舗装層Ｌ１を形成する〔不透水性舗装層形成工程〕。
【００４１】
第２不透水性舗装層Ｌ１の厚さは一定とし、その表面は第１不透水性舗装Ｔと同様に傾斜させるようにする。
次いで、ステップＳ３において、図７（Ｃ）に示すように、矩形状断面の導水管１を道路進行方向に向けながら道路端部構造物Ｓに添置きする〔導水管設置工程〕。
このとき、導水管１の側面を道路端部構造物Ｓに当接させるようにするが、一方、矩形状断面の導水管１の下面は第２不透水性舗装層Ｌ１の上面に接地し導水管１が安定した状態で添置される。
最後に、ステップＳ４において、図７（Ｄ）に示すように、導水管１、及び第２不透水性舗装層Ｌ１の上に排水性舗装層Ｌ２を舗設し、導水管１を埋込み状態にする〔排水性舗装層形成工程〕。
この排水性舗装層Ｌ２の厚さは一定とし、その表面は第１不透水性舗装Ｔと同様に傾斜させる。
【００４２】
この第２実施形態の舗装道路構造によれば、第１不透水性舗装Ｔ上に第２不透水性舗装層Ｌ１が舗設され、該不透水性舗装層Ｌ１の上面に道路端部構造物Ｓに沿って添置きされた導水管１が配置され、導水管１が埋め込まれるように、排水性舗装層Ｌ２を不透水性舗装層Ｌ１上に舗設するようにしたので、既存の道路に導水管１を設置する場合に、第２不透水性舗装層Ｌ１を削り取る必要はなく、第２排水性舗装層Ｌ２の道路端部構造物付近のみ剥がし、そこに導水管１を挿入し、第２透水性舗装層Ｌ２を埋め戻せば良いので、簡単な作業で済む。
施工においても、第１不透水性舗装層Ｔに第２不透水性舗装層Ｌ１を舗設し、この不透水性舗装層上に道路端部構造物Ｓに沿って矩形の導水管１を添置きし、その第２不透水性舗装層Ｌ１及び導水管１の上に排水性舗装層Ｌ２を舗設し、導水管１を埋め込み状態にしたので、道路端部構造物Ｓや第２不透水性舗装Ｌ１との間に空隙は生じなく、施工時においても導水管が変形したり潰れたりしない。  導水管１の下面が第２不透水性舗装と全面的に面接触しているため道路端部構造物に沿って配設する際に安定した位置決めが可能となる。
【００４３】
以上、本発明の実施形態を説明してきたが、本発明は上述した第１及び第２実施形態にのみ限定されるものではなく、その本質を逸脱しない範囲で、他の種々の変形が可能であることはいうまでもない。
例えば、道路端部構造物Ｓとしては、図８に示すように、路肩部Ａや、該路肩部Ａに対して道路面Ｂを隔て設置される中央帯部Ｃが該当するものである。
また、道路端部構造物Ｓとしては、側溝ブロック等が採用されるが、要は、導水管１の排水が的確に行われるような構造のものであれば採用可能である。
更に舗装としては、不透水性舗装や透水性舗装の構造を更に多層とすることも可能である。
【図面の簡単な説明】
【００４４】
【図１】図１は、本発明の舗装道路構造の第１実施形態を示す説明図である。
【図２】図２は、図１の導水管の詳細を示す説明図である。（Ａ）は断面図であり、（Ｂ）は斜視図である。
【図３】図３は、図１の舗装道路の構築方法を示すフローチャートである。
【図４】図４は、図１の舗装道路の構築方法を示す工程図であり、（Ａ）は下地路面の整備を行って第１不透水性舗装層を舗設した状態、（Ｂ）は第１不透水性舗装層上に導水管を設置した状態、（Ｂ）は第２不透水性舗装層を形成した後の状態、及び（Ｄ）は排水性舗装層を形成した後の状態をそれぞれ示している。
【図５】図５は、本発明の舗装道路構造の第２実施形態を示す説明図である。
【図６】図６は、図５の舗装道路の構築方法を示すフローチャートである。
【図７】図７は、図５の舗装道路の構築方法を示す工程図あり、（Ａ）は下地路面の整備を行って第１不透水性舗装層を舗設した状態、（Ｂ）は第２不透水性舗装を舗設した状態、（Ｃ）は第２不透水性舗装上に導水管を設置した状態、及び（Ｄ）は排水性舗装層を形成した後の状態をそれぞれ示している。
【図８】図８は、路肩部と中央帯部との関係を示す図である。
【図９】図９は、従来の舗装道路の構造の一例を示す説明図である。
【図１０】図１０は、従来から用いられている導水管を示す説明図である。（Ａ）はネット管を用いた導水管であり、（Ｂ）は穴開き管を用いた導水管である。
【図１１】図１１は、図１０の導水管を舗装道路に適用した場合の構造を示す説明図である。
【符号の説明】
【００４５】
１  導水管
２  モノフィラメント（ＰＥＴ）
３  不織布
１００  側溝ブロック
１００ａ  貫通穴
２００  導水管
２０１  ネット管
２０２  樹脂材
２０３  多孔管
Ｋ  空間
Ｌ１  第２不透水性舗装層
Ｌ２  排水性舗装層
Ｐ  舗装道路
Ｓ  道路端部構造物
Ｔ  第１不透水性舗装層
【図１】
2006083578.tif 000003
【図２】
2006083578.tif 000004
【図３】
2006083578.tif 000005
【図４】
2006083578.tif 000006
【図５】
2006083578.tif 000007
【図６】
2006083578.tif 000008
【図７】
2006083578.tif 000009
【図８】
2006083578.tif 000010
【図９】
2006083578.tif 000011
【図１０】
2006083578.tif 000012
【図１１】
2006083578.tif 000013